(57)【特許請求の範囲】
【請求項１】
ケーシング本体と当該ケーシング本体の側部に配置された偏心ケーシングと前記ケーシング本体の下端部に開放可能に取り付けられた底蓋とから構成され、前記偏心ケーシングは上端部の中心が前記ケーシング本体の中心に対して偏心し、下端方向に移行するにつれて前記ケーシング本体の中心に徐々に漸近するように形成されてなることを特徴とするテーパー杭施工用ケーシング。
【請求項２】
請求項１記載のテーパー杭施工用ケーシングによってテーパー杭を施工するテーパー杭の施工方法において、前記杭施工用ケーシングをその軸回りに回転させながら地盤に押し込む工程と、前記杭施工用ケーシング内にコンクリートまたはモルタルを投入する工程と、前記杭施工用ケーシングを引き抜くことにより形成される杭孔内に前記コンクリートまたはモルタルを吐出しながら前記杭施工用ケーシングを徐々に引き抜く工程とからなることを特徴とするテーパー杭の施工方法。
【請求項３】
ケーシング本体と当該ケーシング本体の下端部に開放可能に取り付けられた底蓋とからなる杭施工用ケーシングをその下端部を支点に傾けて上端側を旋回させながら地盤に押し込む工程と、前記杭施工用ケーシング内にコンクリートまたはモルタルを投入する工程と、前記杭施工用ケーシングを引き抜くことにより形成される杭孔内に前記コンクリートまたはモルタルを吐出しながら前記杭施工用ケーシングを徐々に引き抜く工程とからなることを特徴とするテーパー杭の施工方法。
【発明の詳細な説明】
【技術分野】
【０００１】
本発明は、テーパー杭の施工方法およびテーパー杭施工用ケーシングに関し、場所打ちコンクリートによってテーパー杭をきわめて効率的にかつ容易に築造することができる。
【背景技術】
【０００２】
テーパー杭は、上端から下端に向かうほど外径が徐々に細くなるように形成される杭であり、主として建物の支持杭などとして用いられる。  
【０００３】
また、テーパー杭は全体が均一な太さの杭に比べて地盤に打ち込む楔と同様の効果があり、摩擦杭としての機能が高い。従って、先端が硬い地盤に達しなくても建物の支持杭などとして適するとされている（特許文献１参照）。
【０００４】
ところで、従来、この種のテーパー杭は鋼管杭や既製コンクリート杭として工場生産されており、場所打ちコンクリートによるテーパー杭の施工実績はあまりない。
【０００５】
例えば、特許文献１には、地盤中に杭頭部の径を大としたテーパー付きのソイルセメント柱を造成し、このソイルセメント柱内に鋼管を芯材として挿入することにより、ソイルセメントと鋼管とを一体結合としたテーパー杭について記載されている。
【０００６】
また、特許文献２には、杭の上端から横方向荷重を大きく受ける部分までの拡頭部、この拡頭部に続く下しぼまりのテーパー部、さらにこのテーパー部に続く杭身部および杭先端の拡底部を有し、これらの部分が場所打ちコンクリートによって一体に形成された異形杭が記載されている。
【０００７】
そして、特許文献３には、上端側から下端側に向けて外径が徐々に縮径するように形成された複数のテーパー杭を地盤に所定のピッチで圧入または回転圧入して群杭を形成することにより、特に液状化層を含む建物基礎地盤の液状化を防止する、群杭による液状化対策構造が記載されている。
【先行技術文献】
【特許文献】
【０００８】
【特許文献１】特開２００１−９８５４２号公報
【特許文献２】特開昭６０−２３５２０号公報
【特許文献３】特開２００８−１９０１１６号公報
【特許文献４】特開昭５７−８１５２６号公報
【発明の概要】
【０００９】
特許文献１に記載のテーパー杭の施工方法では、特に、杭孔の掘削に機械式あるいは油圧式の拡縮掘削ヘッドを装着したオーガー(図省略)を用い、掘削ヘッドを拡大した状態で掘削を開始し、その後掘削ヘッドを徐々に縮めながら所定の深度まで掘削することにより、孔壁にテーパーを有する杭孔を掘削する必要があり、専用の掘削機と当該掘削機を運転する熟練したオペレーターを手配する必要があった。
【００１０】
また、引用文献２に記載のテーパー杭の施工方法では、杭孔に泥水を循環させながら杭孔を掘削するため(リバース工法)、工事が大掛かりなものになりやすい。そして、引用文献３に記載のテーパー杭には鋼管杭が用いられているためコストの面で課題があった。
【００１１】
本発明は、以上の課題を解決するためになされたものであり、テーパー杭を場所打ちコンクリートによって効率的にかつ容易に築造できるテーパー杭の施工方法およびテーパー杭施工用ケーシングを提供することを目的とするものである。
【課題を解決するための手段】
【００１３】
請求項１記載の発明は、ケーシング本体と当該ケーシング本体の側部に配置された偏心ケーシングと前記ケーシング本体の下端部に開放可能に取り付けられた底蓋とから構成され、前記偏心ケーシングは上端部の中心が前記ケーシング本体の中心に対して偏心し、下端方向に移行するにつれて前記ケーシング本体の中心に徐々に漸近するように形成されてなることを特徴とするテーパー杭施工用ケーシングの発明である。
【００１４】
請求項２記載の発明は、請求項１記載のテーパー杭施工用ケーシングによってテーパー杭を施工するテーパー杭の施工方法の発明であり、前記杭施工用ケーシングをその軸回りに回転させながら地盤に押し込む工程と、前記杭施工用ケーシング内にコンクリートまたはモルタルを投入する工程と、前記杭施工用ケーシングを引き抜くことにより形成される杭孔内に前記コンクリートまたはモルタルを吐出しながら前記杭施工用ケーシングを徐々に引き抜く工程とからなることを特徴とするテーパー杭の施工方法の発明である。
【００１５】
請求項３記載の発明は、ケーシング本体と当該ケーシング本体の下端部に開放可能に取り付けられた底蓋とからなる杭施工用ケーシングをその下端部を支点に傾けて上端側を旋回させながら地盤に押し込む工程と、前記杭施工用ケーシング内にコンクリートまたはモルタルを投入する工程と、前記杭施工用ケーシングを引き抜くことにより形成される杭孔内に前記コンクリートまたはモルタルを吐出しながら前記杭施工用ケーシングを徐々に引き抜く工程とからなることを特徴とするテーパー杭の施工方法の発明である。
【００１６】
本発明は、いずれも場所打ちコンクリートによってテーパー杭を施工するに際し、孔壁にテーパーを有する杭孔を容易に形成できるようにしたものであり、特に軟弱地盤にテーパー杭を施工する場合に適している。
【００１７】
すなわち、本発明によれば、杭施工用ケーシングを鉛直または斜めに少し傾けて立て付け、鉛直軸回りに回転または旋回させながら地盤に押し込むことにより孔壁にテーパーを有る杭孔を容易に形成することができる。
【００１８】
また、地盤より杭施工用ケーシングを徐々に引き抜きながら、その後に形成される杭孔にケーシング内のコンクリートまたはモルタルを吐出することにより、杭孔の形成とコンクリートまたはモルタルの打設を一連の連続した工程として行なうことで、テーパー杭をきわめて効率的に施工することができる。
【００１９】
また、請求項１および２記載のテーパー杭施工用ケーシングによれば、テーパーケーシングと偏心ケーシングの長さを適宜変更することにより、杭頭付近にテーパーを部分的に有する拡頭杭や杭の全長にわたってテーパーを有する場所打ちコンクリート杭を容易に施工することができる。
【００２０】
例えば、杭頭付近に部分的にテーパーを有する杭頭杭の場合、杭の長さにもよるが、杭の全長が９ｍ〜10ｍ程度の場合テーパーの長さは75ｃｍ〜100ｃｍ程度が望ましい。また、ケーシング本体に対する偏心ケーシングの上端部における偏心量αは水平に３〜５ｃｍ程度あればよい(図7(a)参照)。
【００２１】
また、ケーシング本体と偏心ケーシングの外径は同一でもよく、あるいはケーシング本体の方が偏心ケーシングより大きい径であってもよい。  
【００２２】
さらに、ケーシング本体とテーパーケーシングとの間、ケーシング本体と偏心ケーシングとの間に複数の補強リブを取り付けて補強してもよい(図3,7参照)。
【００２３】
また、請求項４記載のテーパー杭の施工方法の場合には、ケーシングの傾きを加減することによりテーパーの傾きを任意に設定することができ、通常はケーシングの上端部で鉛直軸に対して水平にα=3〜5ｃｍ程度傾ければよい。
【００２４】
また、オーガーモーターを作動させてケーシンクを回転させながらリーダーを前後および左右に少し移動することにより、ケーシングを旋回させながら地盤に押し込むことができる。さらに、オーガーモーターの駆動軸に駆動軸の回転をケーシングの上端部に旋回運動として伝えるようなアタッチメントを取り付けてもよい。
【００２５】
また、いずれの杭施工用ケーシングも鉛直に延びるリーダーとリーダーにガイドされて昇降するオーガーモーターを備えた建設重機であれば、杭打ち機、アースオーガー等の既存の建設重機に設置して使用することができる。さらに、いずれの杭施工用ケーシングも既存の鋼管を用いて容易に製作することができる。
【発明の効果】
【００２６】
本発明によれば、特に孔壁にテーパーを有する杭孔を容易に掘削することが可能なことにより、テーパー杭を場所打ちコンクリートによって効率的にかつ容易に築造することができる。また、杭施工用ケーシングは繰返し使用することが可能なことによりめきわめて経済的である。
【図面の簡単な説明】
【００２７】
【図１】テーパー杭の施工に用いられるケーシングを建設重機に設置した状態を示す側面図である。
【図２】図１に図示するケーシングの下端部の縦断面図である。
【図３】（a）,（b）は、図１に図示するケーシングを示し、それぞれ、図１におけるイ−イ線、ロ−ロ線断面図である。
【図４】（a）〜（c）は、図１に図示するケーシングによってテーパー杭を施工する施工手順を示す斜視図である。
【図５】（a）〜（c）は、図１に図示するケーシングによってテーパー杭を施工する施工手順を示す斜視図である。
【図６】テーパー杭の施工に用いられるケーシングを建設重機に設置した状態を示す側面図である。
【図７】（a）,（b）は、図６に図示するケーシングを示し、それぞれ、図６におけるイ−イ線、ロ−ロ線断面図である。
【図８】（a）〜（c）は、図６に図示するケーシングによってテーパー杭を施工する施工手順を示す斜視図である。
【図９】（a）〜（c）は、図６に図示するケーシングによってテーパー杭を施工する施工手順を示す斜視図である。
【図１０】テーパー杭の施工に用いられるケーシングを建設重機に設置した状態を示す側面図である。
【図１１】図１０に図示するケーシングの下端部の縦断面図である。
【図１２】（a）〜（c）は、図10に図示するケーシングによってテーパー杭を施工する施工手順を示す斜視図である。
【図１３】（a）〜（c）は、図10に図示するケーシングによってテーパー杭を施工する施工手順を示す斜視図である。
【発明を実施するための形態】
【００２８】
図１〜図５は、本発明の一実施形態を示し、図１〜３はテーパー杭の施工に用いられるテーパー杭施工用ケーシング(以下「ケーシング」)を図示し、図4,5はテーパー杭の施工手順を図示したものである。
【００２９】
図において、ケーシング１は、ケーシング本体２とケーシング本体２の上方に配置された大径ケーシング３およびテーパー付きケーシング４、さらにケーシング本体２の下端部に取り付けたられた底蓋５および複数の掘削ビット６をそれぞれ備えて構成されている。
【００３０】
大径ケーシング３は、ケーシング本体２より一回り大きい円筒形に形成され、ケーシング本体２の上方位置にケーシング本体２と平面に見て同心円状に配置されている。
【００３１】
テーパー付きケーシング４は、上端部の外径がケーシング本体２の外径より太く、大径ケーシング３の外径と同一径に形成され、下方向に移行するに従ってケーシング本体２の外径に徐々に漸近し、下端部においてケーシング本体２の外径と一致するような断面形状に形成されている。
【００３２】
すなわち、テーパー付きケーシング４の外周面は上端部から下端方向に徐々に径が小径となるテーパー面状に形成されている。また、テーパー付きケーシング４は、大径ケーシング３の下側に大径ケーシング３と一体的に連続し、かつケーシング本体２と平面に見て同心円状に配置されている。
【００３３】
また、ケーシング本体２と大径ケーシング３およびテーパー付きケーシング４との間に複数の補強リブ3a,4aがそれぞれ放射状に取り付けられている(図3(a),(b)参照)。
【００３４】
なお、ケーシング本体２と大径ケーシングは鋼管から形成され、テーパー付きケーシング４はテーパー付き鋼管から形成されている。また、補強リブ3a,4aはケーシングの管軸方向に連続する縦リブまたはケーシングの管軸直角方向に連続する横リブであってもよい。
【００３５】
底蓋５はケーシング本体２の外径とほぼ同径に形成され、ケーシング本体２下端部の周縁部に上下方向に回転自在に軸支することによりケーシング本体２の下方にのみ開き、ケーシング本体２の上方（内方）には開かないように取り付けられている。
【００３６】
掘削ビット６は、ケーシング本体２下端部の外周部にケーンシング本体２の円周方向に２〜４個、ほぼ等間隔に取り付けられている。また、掘削ビット６は、先端の刃先6aがケーシング本体２の下端部より下方に少し突出した状態に取り付けられている。
【００３７】
このように構成されたケーシング１は、杭打ち機やアースオーガー等の建設重機で、鉛直に延びるリーダー７とリーダー７にガイドされて昇降するオーガーモーター８を備えた建設重機９に設置して使用される。
【００３８】
次にケーシング１を用いてテーパー杭を施工する方法について説明する（図4,5参照）。
【００３９】
(1) 最初に、テーパー杭を施工する地点にケーシング１を建設重機９に設置して鉛直に立て付ける。この場合、ケーシング１は、建設重機９のリーダー７に沿わせてテーパー杭を施工する地点に鉛直に立て付ける。そして、ケーシング１の上端部をオーガーモーター８にヤットコ10を介して接続する。
【００４０】
(2) 次に、オーガーモーター８を作動させてケーシング１を回転させながら地盤に徐々に押し込むことにより杭孔Ａを形成する。杭孔Ａの地上から一定深さの部分は大径ケーシング３によって均等に押し広げられることによりケーシング本体２の外径より大きく形成され、これより深い一定深さの部分は、テーパー付きケーシング４によって均等に押し広げられることにより上端部が広く、深くなるにつれて徐々に狭くなるテーパー付きの杭孔に形成される。
【００４１】
なお、ケーシング１によって掘削孔Ａを形成する間、ケーシング１の下端部は底蓋５によって塞がれていることによりケーシング１内に掘削土が入り込むことはない。
【００４２】
(3) 次に、杭孔Ａが所定の深さに達したら、ケーシング１の上端部をオーガーモーター８から一時切り離す。そして、ケーシング１内に補強筋Ｂを配筋し、続いてコンクリートＣを充填する。
【００４３】
なお、補強筋Ｂはかご状に組み立てられたものを配筋することにより配筋作業を効率的に行うことができる。また、コンクリートＣには流動性の高いコンクリートまたはモルタルを用いることによりコンクリートの充填性がよくなり望ましい。
【００４４】
(4) 次に、ケーシング１の上端部をオーガーモーター８にヤットコ10を介して再び接続する。そして、オーガーモーター８を作動させてケーシング１を回転させながら徐々に引き上げる。
【００４５】
そうすると、ケーシング１内の補強筋ＢとコンクリートＣの重みによって底蓋５が下方に開き、同時にケーシング１内の補強筋Ｂがケーシング本体２の下端部から杭孔Ａ内に排出されて杭孔Ａ内に鉛直に配筋される。また同時に、ケーシング１内のコンクリートＣがケーシング本体２の下端部から杭孔Ａ内に排出されて杭孔Ａ内に充填される。
【００４６】
なお、ケーシング１を引き抜く際に、ケーシング１を介してコンクリートＣに振動を付与することによりコンクリートを杭孔Ａ内に均一にかつ緻密に充填することができる。
【００４７】
また、底蓋５は、例えば、ケーシング本体２の下端部に粘着テープ等により、コンクリートＣの重みによって簡単に脱落するように取り付け、コンクリートＣの打設時に杭孔Ａ内にコンクリートＣと共に埋設されるようにしてもよい。
【００４８】
以上の施工手順により、杭孔Ａの形成、補強筋Ｂの配筋およびコンクリートＣの打設を一連の連続した工程として、場所打ちコンクリートによってテーパー杭Ｄをきわめて効率的にかつ容易に施工することができる。また、ケーシング１は繰返しの利用が可能なことにより経済的に施工することができる。
【００４９】
図６〜図９は、同じく本発明の一実施形態を示し、図6,7はテーパー杭の施工に用いられる杭施工用ケーシング(以下「ケーシング」)を図示し、図8,9はテーパー杭の施工手順を図示したものである。図中、図１〜図５に図示する部材と同一部材で構成が同じものについては同一符号を付して説明を省略する。
【００５０】
ケーシング11は、ケーシング本体２とケーシング本体２の上方に配置された偏心ケーシング12とケーシング本体２の下端部に取り付けたられた底蓋５および複数の掘削ビット６をそれぞれ備えて構成されている。
【００５１】
偏心ケーシング12は、上端部の中心がケーシング本体２の中心に対して水平にα＝３〜５ｃｍ程度偏心し、下方向に移行するに従ってケーシング本体２の中心に徐々に漸近し、下端部においてケーシング本体２の中心と一致するような断面形状に形成されている。すなわち、偏心ケーシング12の外周面は上端から下端方向に徐々に径が小径となるテーパー面状に形成されている。
【００５２】
ケーシング本体２と偏心ケーシング12との間に複数の補強リブ12aが放射状に取り付けられている(図7(a),(b)参照)。補強リブ12aは縦リブまたは横リブであってもよい。
【００５３】
なお、偏心ケーシング12は、例えば一定長さの鋼管をその管軸方向に斜めに切断し、その一方をケーシング本体２の側面部に溶接して取り付ける等の方法により形成することができる。このように形成されたケーシング11は、建設重機９に設置して使用される。
【００５４】
次に、ケーシング11を用いてテーパー杭を施工する方法について説明する（図7,8参照）。
【００５５】
(1)最初に、テーパー杭を施工する地点にケーシング11を建設重機９に設置して鉛直に立て付ける。この場合、ケーシング11は、建設重機９のリーダー７に沿わせてテーパー杭を施工する地点に鉛直に立て付ける。そして、ケーシング11の上端部をオーガーモーター８にヤットコ10を介して接続する。
【００５６】
(2)次に、オーガーモーター８を作動させてケーシング11を回転させながら地中に押し込み杭孔Ａを形成する。杭孔Ａの地上に近い一定深さの部分は、回転する偏心ケーシング12によって均等に押し広げられることにより、上端部が広く、深くなるにつれて徐々に狭くなるテーパー付きの杭孔となる。
【００５７】
(3)杭孔Ａが所定の深さに達したら、次に、ケーシング11の上端部をオーガーモーター８から一時切り離し、ケーシング11内に補強筋Ｂを配筋し、続いてコンクリートＣを充填する。
【００５８】
(4)次に、ケーシング11の上端部をオーガーモーター８にヤットコ10を介して再び接続する。そして、オーガーモーター８を作動させてケーシング11を回転させながら徐々に引き上げる。そうすると、ケーシング11内の補強筋ＢとコンクリートＣの重みによって底蓋５が下方に開き、同時にケーシング11内の補強筋Ｂがケーシング本体２の下端部から杭孔Ａ内に排出されて杭孔Ａ内に鉛直に配筋される。また同時に、ケーシング11内のコンクリートＣがケーシング本体２の下端部から杭孔Ａ内に排出されて杭孔Ａ内に充填される。
【００５９】
なお、ケーシング11を引き抜く際に、ケーシング11を介してコンクリートＣに振動を付与することによりコンクリートを杭孔Ａ内に均一にかつ緻密に充填することができる。
【００６０】
以上の施工手順により、杭孔Ａの形成、補強筋Ｂの配筋およびコンクリートＣの打設を一連の連続した工程として、場所打ちコンクリートによって地表付近にテーパーを有するテーパー杭Ｄをきわめて効率的にかつ容易に施工することができる。
【００６１】
図10〜図13は、同じく本発明の一実施形態を示し、図10,11はテーパー杭の施工に用いられる杭施工用ケーシング(以下「ケーシング」)を図示し、図12,13はテーパー杭の施工手順を図示したものである。図中、図１〜図５に図示する部材と同一部材で構成が同じものについては同一符号を付して説明を省略する。
【００６２】
図において、ケーシング13は、ケーシング本体２の下端部に底蓋５と複数の掘削ビット６をそれぞれ取り付けることにより構成されている。
【００６３】
また、ケーシング13は、杭打ち機やアースオーガー等の建設重機で、鉛直に延びるリーダー７とリーダー７にガイドされて昇降するオーガーモーター８を備えた建設重機９に設置して使用される。
【００６４】
このような構成において、次にケーシング13を用いてテーパー杭を施工する方法について説明する（図12,13参照）。
【００６５】
(1) 最初に、テーパー杭を施工する地点にケーシング13を建設重機９に設置して立て付ける。この場合、ケーシング13は、テーパー杭を施工する地点に建設重機９のリーダー７に沿わせ、かつ少し傾けた状態に立て付ける。そして、ケーシング13の上端部をオーガーモーター８にヤットコ10を介して接続する。
【００６６】
(2) 次に、オーガーモーター８を作動させてケーシング13を回転させながら地中に押し込み杭孔Ａを形成する。この場合、オーガーモーター８を作動させてケーシンク13を回転させながら、リーダー７を前後および左右に少し移動することにより、ケーシング13を旋回させながら地盤に押し込むことができる。
【００６７】
その結果、ケーシング13は下端部を支点に少し傾いた状態で上端部が平面円形状に旋回するように地中に押し込まれる。また、ケーシング本体２の下端部に取り付けられた掘削ビット６によって地盤が掘削され、これに伴いケーシング13が地盤中に徐々に沈むことにより杭孔Ａが形成される。
【００６８】
また、ケーシング13の周壁によって杭孔Ａの孔壁が均等に押し広げられることにより、杭孔Ａは上端部が広く深くなるにつれて徐々に狭くなるテーパー付きの杭孔に形成される。
【００６９】
なお、ケーシング13によって掘削孔Ａを掘削する間、ケーシング13の下端部は底蓋５によって塞がれていることによりケーシング13内に掘削土が入り込むことはない。
【００７０】
(3) 次に、杭孔Ａが所定の深さに達したら、ケーシング13の上端部をオーガーモーター８から一時切り離し、かつケーシング13を鉛直に立て付ける。そして、ケーシング13内に補強筋Ｂを配筋し、続いてコンクリートＣを充填する。
【００７１】
(4) 次に、ケーシング13の上端部をオーガーモーター８にヤットコ10を介して再び接続する。そして、オーガーモーター８を作動させてケーシング13を回転させながら徐々に引き上げる。
【００７２】
そうすると、ケーシング13内の補強筋ＢとコンクリートＣの重みによって底蓋５が下方に開き、同時にケーシング13内の補強筋Ｂがケーシング本体２の下端部から杭孔Ａ内に排出されて杭孔Ａ内に鉛直に配筋される。また同時に、ケーシング13内のコンクリートＣがケーシング本体２の下端部から杭孔Ａ内に排出されて杭孔Ａ内に充填される。
【００７３】
なお、ケーシング13を引き抜く際に、ケーシング13を介してコンクリートＣに振動を付与することによりコンクリートを杭孔Ａ内に均一にかつ緻密に充填することができる。
【００７４】
以上の施工手順により、杭孔Ａの掘削、補強筋Ｂの配筋およびコンクリートＣの打設を一連の連続した工程として、場所打ちコンクリートによってテーパー杭Ｄをきわめて効率的にかつ容易に施工することができる。また、ケーシング13は繰返しの利用が可能なことにより経済的に施工することができる。
【産業上の利用可能性】
【００７５】
本発明は、建物の支持杭などとして用いられるテーパー杭を場所打ちコンクリートによってきわめて効率的にかつ容易に施工することができる。
【符号の説明】
【００７６】
１  ケーシング（テーパー杭施工用ケーシング）
２  ケーシング本体
３  大径ケーシング
３ａ  補強リブ
４  テーパー付きケーシング
４ａ  補強リブ
５  底蓋
６  掘削ビット
７  リーダー
８  オーガーモーター
９  建設重機
１０  ヤットコ
１１  ケーシング（テーパー杭施工用ケーシング）
１２  偏心ケーシング
１２ａ  補強リブ
１３  ケーシング（テーパー杭施工用ケーシング）
Ａ  掘削孔
Ｂ  補強鉄筋
Ｃ  コンクリート
Ｄ  テーパー杭
【図１】
0005536825.tif 000002
【図２】
0005536825.tif 000003
【図３】
0005536825.tif 000004
【図４】
0005536825.tif 000005
【図５】
0005536825.tif 000006
【図６】
0005536825.tif 000007
【図７】
0005536825.tif 000008
【図８】
0005536825.tif 000009
【図９】
0005536825.tif 000010
【図１０】
0005536825.tif 000011
【図１１】
0005536825.tif 000012
【図１２】
0005536825.tif 000013
【図１３】
0005536825.tif 000014